(57)【要約】      （修正有）【課題】太陽光発電モジュールが設置される形鋼接続部材を提供する。【解決手段】本考案の形鋼接続部材は、形鋼梁２０と鋼梁２２とを接続させる。前記形鋼接続部材１０は直立板１２と、対向し合う２つの支持部１４と、接続部１６と、を備え、２つの支持部が互いに間隔を空けると共に直立板に一体で連接されることにより、２つの支持部と直立板との間に形鋼梁を定位させるための位置決め溝が形成される。接続部は鋼梁を定位させるように位置決め溝の一側に位置される。位置決め溝及び接続部の特殊な設置構造により、形鋼梁及び鋼梁が素早く定位可能となる。さらに、螺合部材３０を組み合わせて固定に用いる。【選択図】図２
0003222349.tif 000002
【実用新案登録請求の範囲】
【請求項１】
形鋼梁と鋼梁とを接続させ、直立板と、対向し合う２つの支持部と、接続部と、を備え、前記２つの支持部が相互に間隔を空けると共に前記直立板に一体で連接されることにより、前記２つの支持部と前記直立板との間に前記形鋼梁を定位させるための位置決め溝が形成され、前記接続部は前記鋼梁を定位させるように前記位置決め溝の一側に位置されることを特徴とする形鋼接続部材。
【請求項２】
前記２つの支持部は互いに平行しつつ間隔を空けると共に前記直立板に一体で連接され、前記位置決め溝は横方向に沿って延伸されると共に前記形鋼梁を定位させるように側方に開放状態を呈することを特徴とする請求項１に記載の形鋼接続部材。
【請求項３】
前記接続部が前記直立板の底側に一体で延出されることにより、前記直立板が前記位置決め溝の一側に位置され、前記接続部及び前記直立板は共に螺合部材が前記形鋼梁及び前記鋼梁に螺入することにより、前記形鋼接続部材と前記形鋼梁及び前記鋼梁とが互いに結合されて固定されることを特徴とする請求項１に記載の形鋼接続部材。
【請求項４】
前記接続部は何れか１つの前記支持部の対応する両側に一体で連接され、前記接続部と何れか１つの前記支持部との間に前記鋼梁を設けるための収容溝が形成されることを特徴とする請求項１に記載の形鋼接続部材。
【請求項５】
前記鋼梁の上端には互いに間隔を空ける２つの固定板が設置され、前記接続部は何れか１つの前記固定板の内側面に設けられることを特徴とする請求項１に記載の形鋼接続部材。
【請求項６】
前記形鋼接続部材と前記鋼梁との間には相対的な傾斜角度を有することを特徴とする請求項１に記載の形鋼接続部材。
【考案の詳細な説明】
【技術分野】
【０００１】
本考案は、太陽光発電モジュールに関し、より詳しくは、太陽光発電モジュールが設置される形鋼接続部材に関する。
【背景技術】
【０００２】
太陽光発電システムは主に太陽光パネルが吸収した太陽光を電気エネルギーに変換した後に蓄電して使用する。太陽光発電システムには太陽光パネルを架設するための大きな面積の空間が必要であり、空間を十分に利用するために従来は解決太陽光パネルを既存の建築物の屋根、屋外の地面、或いは道路脇に架設している。
【考案の概要】
【考案が解決しようとする課題】
【０００３】
しかしながら、太陽光発電モジュールの架設工程では、一般的に非常に多くの部材を使用して太陽光パネルの鋼構造部材（例えば、鋼梁及び鋼柱の組み合わせ）を支持して固定させているため、定位が容易ではなく、装設が面倒になるという問題のほか、太陽光パネルの傾斜角度の調整が不便であり、後の使用における利便性の低下に繋がった。
【０００４】
そこで、本考案者は上記の欠点が改善可能と考え、鋭意検討を重ねた結果、合理的設計で上記の課題を効果的に改善する本考案の提案に到った。
【０００５】
本考案はこうした状況に鑑みてなされたものであり、その目的は、形鋼接続部材を提供することにある。すなわち、本考案は太陽光発電モジュールの架設に用いられ、且つ素早く定位可能であり、容易に装設可能であるという特徴がある。
【課題を解決するための手段】
【０００６】
上記課題を解決する本考案は、形鋼梁と鋼梁とを接続させる。前記形鋼接続部材は直立板と、対向し合う２つの支持部と、接続部と、を備える。前記２つの支持部が相互に間隔を空けると共に前記直立板に一体で連接されることにより、前記２つの支持部と前記直立板との間に前記形鋼梁を定位させるための位置決め溝が形成され、前記接続部は前記鋼梁を定位させるように前記位置決め溝の一側に位置される。位置決め溝及び接続部の特殊な設置構造により、形鋼梁及び鋼梁が素早く定位可能となる。さらに、螺合部材を組み合わせて固定に用いることにより、装設の利便性向上の目的を達成させる。
【０００７】
好ましくは、前記２つの支持部は互いに平行しつつ間隔を空けると共に前記直立板に一体で連接され、前記位置決め溝は横方向に沿って延伸されると共に前記形鋼梁を定位させるように側方に開放状態を呈する。
【０００８】
好ましくは、前記接続部が前記直立板の底側に一体で延出されることにより、前記直立板が前記位置決め溝の一側に位置される。前記接続部及び前記直立板は共に螺合部材が前記形鋼梁及び前記鋼梁に螺入することにより、前記形鋼接続部材と前記形鋼梁及び前記鋼梁とが互いに結合されて固定される。
【０００９】
好ましくは、前記接続部は何れか１つの前記支持部の対応する両側に一体で連接され、前記接続部と何れか１つの前記支持部との間に前記鋼梁を設けるための収容溝が形成される。
【００１０】
好ましくは、前記鋼梁の上端には互いに間隔を空ける２つの固定板が設置され、前記接続部は何れか１つの前記固定板の内側面に設けられる。
【００１１】
好ましくは、前記形鋼接続部材と前記鋼梁との間には相対的な傾斜角度を有する。
【図面の簡単な説明】
【００１２】
【図１】本考案の第１好ましい実施形態に係る形鋼接続部材を示す斜視の組み合わせ図である。
【図２】本考案の第１好ましい実施形態に係る形鋼接続部材を示す斜視の分解図である。
【図３】本考案の第２好ましい実施形態に係る形鋼接続部材を示す斜視の組み合わせ図である。
【図４】本考案の第２好ましい実施形態に係る形鋼接続部材を示す斜視の分解図である。
【考案を実施するための形態】
【００１３】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１４】
下述する実施形態及び図面において、参照番号が同じ場合は同じまたは類似する部材や構造的特徴を示す。本考案は各種の太陽光発電モジュールフレームの架設位置及び設置に応用される。
【実施例１】
【００１５】
以下、第１実施形態を図１及び図２に基づいて説明する。図１及び図２に示されるように、本考案の好ましい第１実施形態に係る形鋼接続部材１０は、主に形鋼梁２０と鋼梁２２とを接続させる。好ましい本実施形態に係る形鋼梁２０はＣ型鋼を例にし、鋼梁２２の上端には互いに間隔を空ける２つの固定板２３が設置される。形鋼梁２０は横方向に具設されるように直立状の鋼梁２２の上端に設置され、形鋼接続部材１０により両者が結合される。
【００１６】
形鋼接続部材１０は直立板１２と、互いに間隔を空ける２つの支持部１４と、接続部１６と、を備える。好ましい本実施形態に係る形鋼接続部材１０は板金曲げ加工により成形され、２つの支持部１４が互いに平行しつつ間隔を空けると共に直立板１２に一体で連接されることにより、２つの支持部１４と直立板１２との間に横方向に沿って延伸される位置決め溝１８が形成されて形鋼梁２０を定位させるために用いられる。位置決め溝１８は直立板１２の側方に向けて開放状態を呈し、形鋼梁２０は位置決め溝１８に横方向に挿設される。
【００１７】
好ましい本実施形態に係る接続部１６はシート体を例にし、接続部１６が直立板１２の底側に一体で延出されることにより、直立板１２が位置決め溝１８の一側に位置される。接続部１６が鋼梁２２の何れか１つの固定板２３の内側面に設けられ、接続部１６及び直立板１２は共に螺合部材３０が形鋼梁２０及び鋼梁２２の固定板２３に螺入することにより、形鋼接続部材１０と形鋼梁２０及び鋼梁２２とが互いに結合されて固定される。
【００１８】
上述の部材構成により、本考案は形鋼接続部材１０の接続部１６がまず鋼梁２２の上端に固定され、その後施工場所または屋根に鋼梁２２が架設され、形鋼梁２０が形鋼接続部材１０の位置決め溝１８に直接設置される。最後に、形鋼梁２０と形鋼接続部材１０との固定工程が完了した後、鋼梁２２が形鋼梁２０と相互に固定される。
【実施例２】
【００１９】
本考案の第２実施形態の構成を図３から図４に示す。図３及び図４に示されるように、本考案の好ましい第２実施形態に係る形鋼接続部材４０の主要な構成部材は概ね好ましい第１実施形態と同じであり、直立板１２と、互いに間隔を空ける２つの支持部４２と、接続部４４と、を備える。その特徴は、接続部４４が何れか１つの支持部４２の対応する両側に一体で連接されることにより、接続部４４と前記支持部４２との間に収容溝４６が形成される。鋼梁４８が円形管である場合、鋼梁４８の上端は収容溝４６内部に直接設置可能であり、螺合部材３０が接続部４４及び鋼梁４８に螺入することにより、形鋼接続部材４０が同様に鋼梁４８の上端に固定されて形鋼梁２０に連結される。
【００２０】
以上を総合すると、本考案に係る形鋼接続部材は位置決め溝及び接続部の特殊な設置構造により、形鋼梁及び鋼梁が素早く定位可能となる。さらに、螺合部材を組み合わせて固定に用いることにより、装設の利便性向上の目的を達成させる。
【００２１】
なお、本考案は実際の需要に応じて形鋼接続部材と鋼梁との間の位置及び傾斜角度を更に調整可能であり、形鋼梁に装設される太陽光発電モジュールも同時に調整される効果を達成させる。
【００２２】
以上、本考案の実施形態について図面を参照して詳述したが、具体的な構成はこの実施形態に限られるものではなく、本考案の要旨を逸脱しない範囲の設計変更等も含まれる。
【符号の説明】
【００２３】
１０  形鋼接続部材
１２  直立板
１４  支持部
１６  接続部
１８  位置決め溝
２０  形鋼梁
２２  鋼梁
２３  固定板
３０  螺合部材
４０  形鋼接続部材
４２  支持部
４４  接続部
４６  収容溝
４８  鋼梁
【図１】
0003222349.tif 000003
【図２】
0003222349.tif 000004
【図３】
0003222349.tif 000005
【図４】
0003222349.tif 000006